(57)【要約】【課題】より信頼性の高い記録ディスクの誤実装防止技術を提供すること。【解決手段】記録ディスクトレーは、インターフェース仕様が異なる複数種類の記録ディスクを収容可能なトレーであり、このトレーには前記インターフェース仕様に応じた所定の異なる位置に、当該インターフェース仕様に対応する第１極性部が設けられる。【選択図】図５
2018147538.tif 000002
【特許請求の範囲】
【請求項１】
インターフェース仕様が異なる複数種類の記録ディスクを収容可能なトレー部に対して、前記インターフェース仕様に応じた所定の異なる位置に、当該インターフェース仕様に対応する第１極性部を設けたことを特徴とする記録ディスクトレー。
【請求項２】
前記トレー部は、前記複数種類の記録ディスクを収容可能な共通トレー部であることを特徴とする請求項１記載の記録ディスクトレー。
【請求項３】
前記第１極性部は、前記共通トレー部に取付可能な極性プレート部に設けられることを特徴とする請求項２記載の記録ディスクトレー。
【請求項４】
前記第１極性部は、前記極性プレート部において、当該インターフェース仕様に応じた位置に設けられた切欠きであることを特徴とする請求項３記載の記録ディスクトレー。
【請求項５】
前記記録ディスク側の前記切欠きは、ストレージ装置が有する所定のディスクスロット側に設けられた突起部と嵌合して、前記記録ディスクが実装可能となるよう配置されることを特徴とする請求項４記載の記録ディスクトレー。
【請求項６】
インターフェース仕様が異なる複数種類の記録ディスクを収容可能なトレーを複数個実装可能であり、実装される前記記録ディスクトレーが収容する前記記録ディスクのインターフェース仕様に応じた位置に、当該インターフェース仕様に対応する第２極性部を有することを特徴とするストレージ装置。
【請求項７】
前記トレーの実装を案内する複数のレールを有し、
前記第２極性部は、少なくとも１つの前記レールの奥側の所定位置に設けられ、前記トレー側に設けられて前記第２極性部の前記インターフェース仕様と合致するインターフェース仕様を有する第１極性部と嵌合可能に配置されることを特徴とする請求項６記載のストレージ装置。
【請求項８】
前記第２極性部は当該インターフェース仕様に応じた位置に設けられた突起部であることを特徴とする請求項６又は７記載のストレージ装置。
【請求項９】
前記ストレージ装置は少なくとも２Ｕに対応し、少なくとも２４個の前記記録ディスクトレーを収容可能であることを特徴とする請求項６〜８のいずれか一記載のストレージ装置。
【請求項１０】
請求項１〜５のいずれか一記載の少なくとも１つの記録ディスクトレーと、請求項６〜９のいずれか一記載のストレージ装置を有することを特徴とするストレージシステム。
【発明の詳細な説明】
【技術分野】
【０００１】
本発明は、記録ディスクトレー、ストレージ装置およびストレージシステムに関する。
【背景技術】
【０００２】
２．５インチディスクのフォームファクタは、ＰＣＩ（Ｐｅｒｉｐｈｅｒａｌ  Ｃｏｍｐｏｎｅｎｔ  Ｉｎｔｅｒｃｏｎｎｅｃｔ）  Ｅｘｐｒｅｓｓドライブと既存のＳＡＳ（Ｓｅｒｉａｌ  Ａｔｔａｃｈｅｄ  ＳＣＳＩ）、ＳＡＴＡ（Ｓｅｒｉａｌ Ａｄｖａｎｃｅｄ Ｔｅｃｈｎｏｌｏｇｙ Ａｔｔａｃｈｍｅｎｔ）ドライブのシステム設計に柔軟に対応できるよう共通なメカニカル仕様を有する。このため、各種の記録ディスクを収容するトレーとして、共通のトレーが使用されている。したがって、ストレージ装置において、所定のインターフェース仕様を有するディスクスロットに、インターフェース仕様が相違するディスクを収容するトレーが誤実装される可能性がある。
【０００３】
また、ストレージ装置（ここではストレージ装置を有するサーバ、ワークステーションなども含む）においては、２．５インチディスクのフォームファクタが共通のメカニカル仕様であるため、電源投入してファンクションを動作させるまで、２．５インチディスクのインターフェース仕様を検出することができない。
【先行技術文献】
【特許文献】
【０００４】
【特許文献１】特開平５−２７８７７７号公報（段落００２１参照）
【発明の概要】
【発明が解決しようとする課題】
【０００５】
なお、上記文献の開示を本書に引用をもって繰り込む。以下に上述した関連技術の分析を与える。
【０００６】
特許文献１には、「記録ディスクの種別を標示するため、複数の種別に対応して定められた複数の深さのうちの一の深さを有して形成されたディスク種別識別用凹部」が開示されている。
【０００７】
しかしながら、特許文献１に開示されているように、トレー挿入方向の深さに基づいて
記録ディスクの種別を標示する場合、経時的な摩耗、コンタミネーション等によって、誤実装が十分に防止されないことも考えられる。
【０００８】
本発明は、上記課題に鑑みて創案されたものであって、その目的の一つは、より信頼性の高い記録ディスクの誤実装防止技術を提供することである。その他の目的および効果等は、本開示から当業者に明らかになるであろう。
【課題を解決するための手段】
【０００９】
本発明の一つの視点によれば、インターフェース仕様が異なる複数種類の記録ディスクを収容可能なトレー部に対して、前記インターフェース仕様に応じた所定の異なる位置に、当該インターフェース仕様に対応する第１極性部を設けた記録ディスクトレーが提供される。
【００１０】
本発明の一つの視点によれば、インターフェース仕様が異なる複数種類の記録ディスクを収容可能なトレーを複数個実装可能であり、実装される前記記録ディスクトレーが収容する前記記録ディスクのインターフェース仕様に応じた位置に、当該インターフェース仕様に対応する第２極性部を有するストレージ装置が提供される。
【００１１】
本発明の一つの視点によれば、少なくとも１つの上記記録ディスクトレーと、上記ストレージ装置を有するストレージシステムが提供される。
【発明の効果】
【００１２】
本発明の１つの視点によれば、より信頼性の高い記録ディスクの誤実装防止技術が提供される。
【図面の簡単な説明】
【００１３】
【図１】一実施形態に係る記録ディスクトレーを実装可能な一実施形態に係るストレージ装置の外観図である。
【図２】複数の記録ディスクトレーが実装された図１のストレージ装置の正面図である。
【図３】図１のストレージ装置が有するミッドプレーン部の分解図とともに記録ディスクを示す図である。
【図４】一実施形態に係る記録ディスクトレーの分解図である。
【図５】図４に示した記録ディスクトレーが有する第１極性部の各種パターンを示す図である。
【図６】図１に示したストレージ装置が有する第２極性部の各種パターンを示す図である。
【発明を実施するための形態】
【００１４】
図３〜図５を参照して、一実施形態の記録ディスクトレー４は、インターフェース仕様が異なる複数種類の記録ディスク５を収容可能な共通トレー部６を有する。共通トレー部６には、インターフェース仕様に応じた所定の異なる位置に、当該インターフェース仕様に対応する第１極性部（切欠き７ａ）を設けることができる。
【００１５】
図１、３および６を参照して、一実施形態のストレージ装置１０は、インターフェース仕様が異なる複数種類の記録ディスク５をそれぞれ収容可能な記録ディスクトレー４を複数個実装可能である。さらに、ストレージ装置１０は、実装される記録ディスクトレー４が収容する記録ディスク５のインターフェース仕様に応じた位置に、当該インターフェース仕様に対応する第２極性部（突起部８）を有する。
【００１６】
一実施形態の少なくとも１つの記録ディスクトレー４（共通トレー部６）と、一実施形態のストレージ装置１０を有するストレージシステムによれば、第１および第２極性部７ａ，８間の形状的照合により、記録ディスク５とその実装位置が合致している場合には、記録ディスク５を収容している記録ディスクトレー４の実装を可能とし、合致していない場合には、記録ディスクトレー４の実装を不能とする。
【００１７】
一実施形態によれば、ストレージ装置１０の電源を投入せず、システムが動作しない状況においても、記録ディスクトレー４を実装する段階でインターフェース仕様が異なるディスク５が収容されていることが容易に判別できる。この判別は、機械的または物理的判別であるため、この判別のためだけにデバイスタイプを識別するための信号をモニタする必要性はなくなる。また、共通トレー部６は共通設計のままで使用可能である。
【００１８】
一実施形態の概念は、各種のストレージ装置（ここではストレージ装置を有するサーバ、ワークステーションなども含む）に適用可能であり、複数段を要求するユニット（トレー）を高密度で実装可能な装置に好適に適用される。例えば、２Ｕのストレージ装置に２４個の２．５インチディスクを実装するような高密度実装においても、一実施形態にしたがって、簡単で省スペースな実装が実現できる。
【００１９】
＜実施形態＞
例示的な実施形態を、一般的な２．５インチディスクを高密度で実装した２Ｕのストレージ装置を例として、図面を参照して詳細に説明する。
【００２０】
図１および図２は、一実施形態に係る記録ディスクトレーを実装可能な一実施形態に係るストレージ装置１０を示す。２Ｕのストレージ装置１０は、インターフェース仕様が異なる、例えば２４個の２．５インチディスクを実装可能である。
【００２１】
図３を参照して、筐体側であるストレージ装置１０の２．５インチディスク収納部分は、ミッドプレーン部１と、ディスクケージ部２を有する。ミッドプレーン部１上には、記録ディスクトレー４に収容された記録ディスク５（図４参照）とのインターフェースコネクタ３が２４個実装されている。
【００２２】
本実施形態によれば、記録ディスクトレー４に収容された記録ディスク５は、ストレージ装置１０側とのインターフェース仕様が合致する場合、ディスクケージ部２を通過した後、インターフェースコネクタ３と接続することができる。
【００２３】
図４は、一実施形態に係る記録ディスクトレー４の分解図である。図４を参照して、記録ディスクトレー４は、インターフェース仕様が異なる複数種類の記録ディスク５を収容可能な共通トレー部６と、共通トレー部６にネジ９を用いて取付可能な極性プレート部７を有する。
【００２４】
記録ディスク５のメカニカル使用は、ＰＣＩ  Ｅｘｐｒｅｓｓと、既存のＳＡＳ、ＳＡＴＡ仕様に関わらず共通である。したがって、共通トレー部６は、これらのインターフェース仕様が異なる複数種類の記録ディスク５をいずれも収容することができる。
【００２５】
図５は、図４に示した記録ディスクトレー４が有する切欠き（第１極性部）７ａの各種パターンを示す図である。図５を参照して、複数の極性プレート部７はそれぞれ、収容される記録ディスク５（図４参照）のインターフェース仕様に応じた位置に形成される切欠き７ａ（第１極性部）を有する。
【００２６】
図６は、図１に示したストレージ装置１０が有する突起部（第２極性部）８の各種パターンを示す図である。図６を参照して、ストレージ装置１０のディスクケージ部２には、ディスクスロットを形成する複数のレール２ａが並置されている。複数のレール２ａのミッドプレーン部１側には、インターフェース仕様に応じた位置に突起部（第２極性部）８が配置されている。
【００２７】
一実施形態によれば、共通設計された記録ディスクトレー４側においては、所定位置に切欠き（第１極性部）７ａを備える極性プレート部７を共通トレー部６に取り付ける一方、ストレージ装置１０側においては、ディスクケージ部２の複数のレール２ａの所定位置に突起部（第２極性部）８を配置することにより、インターフェース仕様が合致しない場合の誤挿入を防止することができる。
【００２８】
次に、インターフェース仕様がＰＣＩ  Ｅｘｐｒｅｓｓ、ＳＡＳ、ＳＡＴＡ、および極性なしの４つの場合について、一実施形態の動作を説明する。
【００２９】
（記録ディスクトレー４側）
図５に示すように、図４に示した共通トレー部６にネジ留め可能な極性プレート部７の先端部に切欠き（第１極性部）７ａをそれぞれ有する４パターンの極性プレート部７を作成する。
【００３０】
図５を参照して、ＰＣＩ  Ｅｘｐｒｅｓｓの場合（パターン１）、切欠き７ａは例えば図中左端に形成される。ＳＡＳの場合（パターン２）、切欠き７ａは例えば図中真中に形成される。ＳＡＴＡの場合（パターン３）、切欠き７ａは例えば図中右端に形成される。極性なしの場合（パターン４）、切欠き７ａは幅方向全長にわたって形成される。
【００３１】
（ストレージ装置側）
図６を参照して、ＰＣＩ  Ｅｘｐｒｅｓｓの場合（パターン１）、突起部８はパターン１の切欠き７ａと嵌合可能に図中左端に形成される。ＳＡＳの場合（パターン２）、突起部８はパターン２の切欠き７ａと嵌合可能に図中真中に形成される。ＳＡＴＡの場合（パターン３）、突起部８はパターン３の切欠き７ａと嵌合可能に図中右端に形成される。極性なしの場合（パターン４）、突起部は形成されない。
【００３２】
したがって、切欠き７ａと突起部８が合致（嵌合）する場合には、記録ディスク５を収容する記録ディスクトレー４が実装可能であり、合致しない場合には記録ディスクトレー４をそれ以上押し込むことができないため、インターフェース仕様が異なる記録ディスク５を収容する記録ディスクトレー４を実装しようとしていることが検出できる。
【００３３】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ乃至選択が可能である。すなわち、本発明は、請求の範囲を含む全開示、技術的思想にしたがって当業者であればなし得るであろう各種変形、修正を含むことは勿論である。
【００３４】
特に制限されないが、実施形態及び変形例等は以下のように付記される。
（付記１）
２．５インチ（２．５”）ディスクのフォームファクタのディスクを搭載するストレージ装置において、トレーを共通化しつつ、インターフェース仕様に合わせて、誤挿入を防止する装置。
（付記２）
トレーに極性プレートを付けて、ディスクケージのレールに対応するインターフェース仕様に応じた位置に極性突起を設けることにより、物理的に誤挿入を防止する装置。
（付記３）
インターフェース仕様が異なる複数種類の記録ディスクを収容可能なトレーに対して、前記インターフェース仕様に応じた所定の異なる位置に、当該インターフェース仕様を呈示する第１極性部を設けた記録ディスクトレーと、
インターフェース仕様が異なる複数種類の記録ディスクを収容可能なトレーを複数個実装可能であり、実装される前記記録ディスクトレーが収容する前記記録ディスクのインターフェース仕様に応じた位置に、当該インターフェース仕様に対応する第２極性部を有することを特徴とするストレージ装置と、を有するストレージシステム。
【符号の説明】
【００３５】
１  ミッドプレーン部
２  ディクスケージ部
２ａ  レール
３  インターフェースコネクタ
４  記録ディスクトレー
５  記録ディスク、２．５インチディスク
６  共通トレー部
７  極性プレート部
７ａ  切欠き、第１極性部
８  突起部、第２極性部
９  ネジ
１０  ストレージ装置
【図１】
2018147538.tif 000003
【図２】
2018147538.tif 000004
【図３】
2018147538.tif 000005
【図４】
2018147538.tif 000006
【図５】
2018147538.tif 000007
【図６】
2018147538.tif 000008